(57)【要約】【課題】  貼着後のメディア表面を十分にフラットな面とした高品質の展示パネルを容易に成形することのできる展示パネル用台板を得る。【解決手段】  基材１０の上に粘着剤層３０と離型シート２０とがこの順で積層されている展示パネル用台板Ａであって、離型シート２０の粘着剤層３０に面する面に多数の微細な凹凸が形成され、粘着剤層３０の離型シート２０に面する面には離型シート２０に形成した微細な凹凸に呼応した多数の凹凸を密接状態で形成（転写）されている。離型シート２０に形成される多数の微細な凹凸は閉じた凸条２１と凸条２１に囲まれた凹部２２とからなることが望ましい。【選択図】  図１
2005274926.tif 000002
【特許請求の範囲】
【請求項１】
基材の上に粘着剤層と離型シートとがこの順で積層されており、離型シートの粘着剤層に面する面には多数の微細な凹凸が形成されており、粘着剤層の離型シートに面する面には離型シート面に形成した微細な凹凸に呼応した多数の凹凸が密接状態で形成されていることを特徴とする展示パネル用台板。
【請求項２】
離型シートに形成されるは多数の微細な凹凸は閉じた凸条と凸条に囲まれた凹部とからなることを特徴とする請求項１に記載の展示パネル用台板。
【請求項３】
閉じた凸条はリング状であることを特徴とする請求項２に記載の展示パネル用台板。
【請求項４】
リング状である閉じた凸条は平均１０〜５００個／ｃｍ２で形成されていることを特徴とする請求項３記載の展示パネル用台板。
【請求項５】
離型シートは樹脂フィルムであることを特徴とする請求項１〜４のいずれかに記載の展示パネル用台板。
【請求項６】
離型シートは微細な凹凸を形成した面と反対の面に紙層を積層していることを特徴とする請求項５に記載の展示パネル用台板。
【請求項７】
粘着剤層を形成する粘着剤はアクリル系エマルジョンであることを特徴とする請求項１〜６のいずれかに記載の展示パネル用台板。
【請求項８】
基材は表面層として紙層を有することを特徴とする請求項１〜７のいずれかに記載の展示パネル用台板。
【請求項９】
請求項１〜８のいずれかに記載の展示パネル用台板から離型シートを除去し、露出した粘着剤層の表面にメディアを貼着した展示パネル。
【発明の詳細な説明】
【技術分野】
【０００１】
本発明は、展示用の写真やポスターなどのメディアを貼り付けて展示パネルを作成するときに用いられる台板、および該展示パネル用台板にメディアを貼り付けた展示パネルに関する。
【背景技術】
【０００２】
写真やポスターなどのメディアを台板に貼着して展示パネルとすることが行われる。展示パネル用台板には、発泡樹脂板などを基材とし、その上に粘着剤を平坦に塗布して粘着剤層を形成し、その上に、メディアを貼着するまでの間、粘着層表面を保護するための離型シートを積層したものが、通常、用いられる。
【０００３】
使用に際しては、離型シートを剥がした後、メディアを手作業にて貼り合わせることが多く行われる。その際に、貼り易いこと、貼り合わせ後はめくれ等の剥がれが起きにくいことに加え、メディア貼着面の綺麗さの観点から、貼り合わせ時にメディアと展示パネル用台板との間に空気を抱き込まないようにして、貼着面をフラットな状態とすることも求められる。しかし、単に粘着剤を平坦に塗布した台板の場合、空気の抱き込みを防止することは容易でない。
【０００４】
そのような観点から特許文献１（特開平８−２７６５２１号公報）には、板状の基材の表面に粘着剤を付設した展示パネル用台板において、粘着剤を非付設部分を残したパターンとして付設し、かつ、各非付設部分が基材の端縁に通じているようにしたものが記載されている。この形態の展示パネル用台板では、メディアと台板との間に存在する空気が、基材の端縁に通じている粘着剤の非付設部分を通って逃げ易くなっているので、メディアの貼り付け時の空気の抱き込みを防止することができ、表面に膨れのない展示パネルを得やすくなる利点がある。
【０００５】
【特許文献１】特開平８−２７６５２１号公報
【発明の開示】
【発明が解決しようとする課題】
【０００６】
近年、写真やポスターなど各種メディアを台板に貼り付けた展示パネルに対する高品質化の要請は高まっており、特に、貼着後のメディア表面の平坦性に対する要求は、メディアそのものの高品質化との関連からも、強く求められている。特許文献１に記載される形態の展示パネル用台板は、空気の抱き込みを防止でき表面に膨れのない展示パネルを作りやすくなっているが、粘着剤の付設部と非付設部とでメディアに対する粘着性に差異があることから、わずかとはいえメディアに歪みや凹凸が形成され易くなり十分なフラット性が得られない、あるいは均一な貼り合わせが得られない場合がある。また、粘着剤の各非付設部分は基材の端縁に通じているため、粘着層における粘着剤の乾燥が促進され、離型シートが付いている段階での台紙の保管状態によっては、粘着性が部分的に変化する場合がある。このことも、貼り合わせの均一性を阻害する一因となる。さらに、離型シートが付いた状態で粘着層の乾燥が進みやすいことから、発泡樹脂板を含む各種異素材の積層体で形成される台板に反りが生じやすい。
【０００７】
本発明は上記のような事情に鑑みてなされたものであり、空気の抱き込みが形成されるのを回避すること、および、メディアに対する粘着力を全面にわたって等しくすること、の双方を同時に満足することができ、それにより、貼着後のメディア表面を十分にフラットな面として、高品質の展示パネルを容易に形成することのできる展示パネル用台板、および該台板を用いた展示パネルを提供することを目的とする。また、展示パネル用台板に反りが生じがたくした展示パネル用台板を提供することを目的とする。
【課題を解決するための手段】
【０００８】
本発明による展示パネル用台板は、基本的に、基材の上に粘着剤層と離型シートとがこの順で積層されており、離型シートの粘着剤層に面する面には多数の微細な凹凸が形成されており、粘着剤層の離型シートに面する面には離型シート面に形成した微細な凹凸に呼応した多数の凹凸が密接状態で形成されていることを特徴とする。
【０００９】
離型シートは保形成があり、一方、粘着剤は未乾燥状態では塑性変形性を持つ。そのために、表面に多数の微細な凹凸を形成した離型シートと粘着剤層とを互いに圧接することにより、「粘着剤層の離型シートに面する面には離型シート面に形成した微細な凹凸に呼応した多数の凹凸が密接状態で形成されている」状態とすることができる。そして、粘着剤層と離型シートは全面で密接しており、周囲から積層界面に空気が入り込むことはない。そのために、離型シートの付いた状態で保管しておいても、粘着剤の乾燥が進むことはなく、当初の状態が維持される。それにより、不用意に基材に反りが生じることはない。
【００１０】
離型シートの粘着剤層に面する面には、通常、シリコンのような離型剤が設けてあり、必要時に、離型シートを容易に剥がすことができる。離型シートを剥がした後の粘着剤層の表面には離型シートに形成した凹凸に呼応する多数の微細な凹凸が形成されており、メディアを貼り合わせるときに、微細な凹凸間に形成される空間を通過して、空気は容易に外側に向けて移動するので、空気の抱き込みが生じることはない。また、貼り合わせ直前まで、粘着剤の全表面は離型シートで覆われており外気と接することはないので、粘着剤の粘着性は粘着剤層の全表面にわたり均一であり、メディア全面を均一な力で貼り付けることができる。
【００１１】
貼り付けに際し、メディアを粘着剤層の上に置き、好ましくは中央部から周辺方向にしごくようにして押し付けていく。それにより、空気の抱き込み（空気溜まり）のない状態で、またシワのない状態で容易にメディアを貼り付けることができる。その過程で、粘着剤の塑性変形により粘着剤が伸ばされ、表面に形成された粘着剤の微細な凹凸は消滅して平坦な面となり、貼り合わせ面の全面に均一かつ強固な粘着力が発生する。このことから、本発明による展示パネル用台板を用いることにより、メディア表面を十分にフラットな面とした高品質の展示パネルを容易に形成することができる。
【００１２】
離型シートに形成されるは多数の微細な凹凸は任意の形状であってよい。本発明者らの実験では、閉じた凸条と該凸条に囲まれた凹部とからなる微細な凹凸は、特に有効であった。閉じた凸条は、円あいるは長円などのリング状であるは好ましく、その数は平均１０〜５００個／ｃｍ２程度であれば、十分に所期の目的を達成することができる。微細な凹凸は等しく分布していることが望ましく、例えば、縦横に所定間隔で格子状に形成することが望ましい。形成する微細な凹凸の高さは５〜６０μｍ程度のものが好ましい。
【００１３】
本発明の展示パネル用台板において、離型シートは前記した多数の微細な凹凸が保形成をもって形成できることを条件に任意の材料で作ることができるが、成形のし易さ、取り扱い易さなどの理由から、樹脂フィルムやシートであることは好ましい。厚みは１０〜２００μｍ程度で十分である。樹脂としては、ポリプロピレン系樹脂、ポリエチレン系樹脂、ポリエステル系樹脂などを用いるとができ、透明性、光沢性、強度面の理由から、２軸延伸ポリプロピレンフィルムは特に好ましい。
【００１４】
離型シートは単層構造であってもよく、微細な凹凸を形成した樹脂フィルムあるいはシートとその反対の面に積層した紙層との積層構造であってもよい。複数枚の樹脂フィルムあるいはシートを積層した構造であってもよい。なお、本発明の展示パネル用台板において、離型シートに形成する微細な凹凸が、閉じた凸条とそれで囲まれた凹部とで形成される場合、粘着剤の不用意な乾燥を防ぐために、該凹部は外気に連通していないことが望ましい。閉じた凸条およびそれで囲まれた凹部を成形するときに、単層の離型シートでは成形上の都合で凹部が貫通孔となってしまうような場合には、凹凸を形成した面とは反対の面に紙層や樹脂層などの他の層を積層した多層構造とすることが望ましい。
【００１５】
本発明の展示パネル用台板において、粘着剤層を形成する粘着剤は所要の塑性変形が可能であることを条件に、従来この種の展示パネル用台板で用いられてきた粘着剤を適宜用いることができる。例えば、アクリル系ポリマーが主体となったものが好ましく、エマルジョン系でも溶剤系でも使用できる。中でも、環境対応面からアクリル系エマルジョンは好ましく、特に、ポリアクリル酸ブチルは異臭がなく貼着性に優れているので好ましい。
【００１６】
本発明の展示パネル用台板において、基板の素材としては、樹脂板、アルミニウム板や木板などを用いうるが、軽量性および加工適性に優れている理由から、ポリスチレン系樹脂発泡体は特に望ましい。また、基材の表面にホットメルト樹脂を含む適宜の接着剤によりケント紙や上質紙のような紙を接着積層して表面性状を向上させ、その上に粘着剤層を形成することは有効である。その場合、基材に反りが生じないように、表裏面双方を同じ積層構造とすることが望まれる。
【発明の効果】
【００１７】
本発明によれば、貼着後のメディア表面を十分にフラットな面とした高品質の展示パネルを容易に成形することのできる展示パネル用台板、および該台板を用いた展示パネルが得られる。
【発明を実施するための最良の形態】
【００１８】
以下、図面を参照しながら本発明を実施の形態により説明する。図１は本発明による展示パネル用台板の一例を模式的に示す断面図であり、図２は用いられる離型シートを模式的に示す平面図、図３は図２のＩＩＩ−ＩＩＩ線に沿う断面図である。図４は離型シートの他の例を示す断面図である。なお、いずれの図も本発明の特徴をはっきりさせるために寸法を誇張して示している。
【００１９】
展示パネル用台板Ａは、基材１０と、その一面に積層した粘着剤層３０と、その上に積層される離型シート２０とで構成される。基材１０は展示パネルとしての所要の強度を備えていれば、樹脂板、金属板、木質板などからなる単層構造であってよいが、図示の例では、樹脂発泡体である基材層１１の両面に接着剤層１２を介してケント紙のような紙層１３を積層している。
【００２０】
一方の紙層１３の上に粘着剤層３０が積層される。粘着剤層３０は、所要の塑性変形性を持つ粘着剤で形成され、例えば、アクリル系エマルジョンであるポリアクリル酸ブチル樹脂エマルジョンが用いられる。そして、粘着剤層３０の上に離型シート２０が積層される。好ましくは、粘着剤層３０の厚みは１０〜１００μｍ程度である。
【００２１】
離型シート２０は、好ましくは厚さ５０〜１００μｍ程度の樹脂フィルムまたはシートの表面に必要な場合にはシリコンコーティングを施したものであり、この例では樹脂フィルムとして、厚さ８０μｍの２軸延伸ポリプロピレンフィルムを用いている。離型シート２０の一面には多数の微細の凹凸が形成される。この例では、閉じた凸条２１と該凸条２１で囲まれた凹部２２とからなる長円リング状の凹凸が、２００個／ｃｍ２程度の密度で格子状に形成されている。長円に限らず、円形や多角形であってもよい。なお、図では分かり易さのために高さや深さを大きくしてあるが、実際には、閉じた凸条２１の基準面（フィルム表面）からの高さは１０〜３０μｍ程度であり、凹部２２の凸条上縁からの深さは１０〜３０μｍ程度である。また、多くの方法によって樹脂フィルムあるいはシートの上にこのような微細な凹凸を形成することができるが、一例として、先の細い熱ペン（不図示）を樹脂フィルムやシートの表面に押し当てる方法が挙げられる。
【００２２】
基材１０の上に塗布した粘着剤層３０の上に、図２、図３に示す離型シート２０を、微細な凹凸が形成されている面を粘着剤層３０側となるようにして積層し圧着することにより、本発明による展示パネル用台板Ａが形成される。粘着剤は塑性変形性を有しており、離型シート２０の圧着により、粘着剤層３０の離型シート２０に面する面には、図１に示すように、離型シート２０の一面に形成した「凸条２１と該凸条２１で囲まれた凹部２２とからなる長円リング状の凹凸」に呼応した多数の凹凸３１が、離型シート２０側と粘着剤層３０側とが密接した状態で多数形成される。そのために、本発明による展示パネル用台板Ａでは、離型シート２０が付いている状態で粘着剤層３０が空気に触れることはなく、粘着剤の乾燥が不用意に進むことはない。
【００２３】
なお、離型シート２０の凹凸形成面に粘着剤を塗布することによっても同様な積層体を形成することができ、該積層体を基材１０の上に貼り付けることによっても、図１に示した形態の展示パネル用台板Ａが得られる。
【００２４】
展示パネルとする際には、展示パネル用台板Ａから離型シート２０を剥がす。図１の右側は離型シート２０を剥がし始めた状態を示しており、粘着剤層３０の表面には、離型シート２０の表面に形成した凹凸に呼応する形態の凹凸３１が形成（転写）される。なお、前記したように図示のものでは分かりやすくするために凹凸３１が誇張して描いてある。
【００２５】
離型シート２０を全部剥がした後、粘着剤層３０の表面に写真やポスターのようなメディア（不図示）を貼り付ける。貼り付けに際し、メディアを粘着剤層３０の上に置き、好ましくは中央部から周辺方向にしごくようにして押し付ける。間に存在する空気は粘着剤層３０の表面に存在する転写された微細な凹凸３１の間に形成されるわずかな隙間を通って逃げ出すことができるので、空気の抱き込み（空気溜まり）のない状態で、またシワのない状態で、メディアを貼り付けることができる。
【００２６】
さらに、押し付けの過程で、粘着剤の塑性変形性により粘着剤が伸ばされ、表面に形成された粘着剤の微細な凹凸３１は消滅して平坦な面となり、貼り合わせ面の全面に均一かつ強固な粘着力が発生する。このことから、形成される展示パネルにおいては、メディア表面は十分にフラットな面を持つことができ、かつ接着性が均一であることと相俟って、高品質の展示パネルとなる。
【００２７】
上記の説明では、離型シート２０を樹脂フィルムの単層構成として示したが、紙層などとの多層構成としてもよい。また、樹脂フィルムの表面に凸条２１と該凸条２１で囲まれた凹部２２とからなる長円リング状の凹凸を形成するときに、成形上の都合で、凹部２２が貫通孔となる場合が起こる。その場合、粘着剤層３０に離型シート２０を積層した状態で、貫通孔である凹部２２から空気が入り、粘着剤を乾燥させる恐れがある。このような場合には、図４に示すように、紙あるいは樹脂フィルムやシートなどからなる被覆層２５を積層して多層構造の離型シート２０とすることが望ましい。
【図面の簡単な説明】
【００２８】
【図１】本発明による展示パネル用台板の一例を模式的に示す断面図。
【図２】展示パネル用台板で用いられる離型シートを模式的に示す平面図。
【図３】図２のＩＩＩ−ＩＩＩ線に沿う断面図。
【図４】離型シートの他の例を示す断面図。
【符号の説明】
【００２９】
Ａ…展示パネル用台板、１０…基材、２０…離型シート、２１…閉じた凸条、２２…凸条で囲まれた凹部、３０…粘着剤層、３１…粘着剤層に形成（転写）された凹凸
【図１】
2005274926.tif 000003
【図２】
2005274926.tif 000004
【図３】
2005274926.tif 000005
【図４】
2005274926.tif 000006